(57)【要約】      （修正有）【課題】使用用途に応じてバックパック及び旅行鞄のうち基本的な鞄類型を選択的に変更することができるバックパック兼用リュックサック型旅行鞄を提供する。【解決手段】ユーザーの両肩に掛けられるように肩紐を備えており、内部にメイン収納空間を形成し、外周に沿ってメイン収納空間を開閉できるように第１外部開閉手段１４を備える鞄本体１０と；鞄本体内のメイン収納空間の領域を前後に区分して区画する収納境界網と；鞄本体の前方に備えられ、内部に補助収納空間を形成し、補助収納空間の上側を開閉できるように第２外部開閉手段３３を備えており、開閉可能な構造で物品を収納できるジッパー収納ポケットを備える、補助収納部３０と；鞄本体の外部後方に備えられて物品を収納可能である装着型ポケット部と；を含み、鞄本体は、メイン収納空間の下部に備えられ、収納境界網を巻いた状態で収容できるように形成する境界網収容部を含む。【選択図】図１
0003212142.tif 000002
【実用新案登録請求の範囲】
【請求項１】
ユーザーの両肩に掛けられるように肩紐を備えており、内部にメイン収納空間を形成し、外周に沿って前記メイン収納空間を開閉できるように第１外部開閉手段を備える鞄本体と、
前記鞄本体内の前記メイン収納空間の領域を前後に区分して区画し、前記メイン収納空間の後方領域を開閉できる内部開閉手段を備える収納境界網と、
前記鞄本体の前方に備えられ、内部に補助収納空間を形成し、前記補助収納空間の上側を開閉できるように第２外部開閉手段を備えており、前記補助収納空間内の一側面には、物品を区分して収納できるように前後に区分された二重構造の収納口を有する単膜ポケットを備えており、前記単膜ポケットの上側に間隔を置いて開口され、開閉可能な構造で物品を収納できるジッパー収納ポケットを備える、補助収納部と、
前記鞄本体の外部後方に備えられて物品を収納可能であり、内側にキャリーバッグのハンドルバーを収容できるように下端に開閉設定可能なポケット開閉手段を備える装着型ポケット部とを含み、
前記鞄本体には、前記メイン収納空間の下部に備えられ、前記収納境界網を巻いた状態で収容できるように形成する境界網収容部を含んで構成される、バックパック兼用リュックサック型旅行鞄。
【請求項２】
前記鞄本体は、前記メイン収納空間内の前記収納境界網を基準にして後方領域の一面に備えられ、物品を収納できるように形成する長形収納ポケットを含み、
前記鞄本体の後面及び前記長形収納ポケットは、それぞれ接触衝撃を緩衝できるように内蔵されるクッション部材を含んで構成される、請求項１に記載のバックパック兼用リュックサック型旅行鞄。
【請求項３】
前記収納境界網は、前記鞄本体の内部下面に裁縫し、前記収納境界網の下部には、前記鞄本体の上側に向かって折り畳まれた折り畳み境界線を形成し、
前記内部開閉手段は、前記収納境界網を広げ状態に完全に開放できるように前記折り畳み境界線より延長された位置まで開閉設定可能に延長形成する開閉延長部を含んで構成される、請求項１に記載のバックパック兼用リュックサック型旅行鞄。
【請求項４】
前記境界網収容部は、前記収納境界網を収容できるように開口された一端に弾力を有するようにバンディング処理されたバンド縁部を含んで構成される、請求項１に記載のバックパック兼用リュックサック型旅行鞄。
【請求項５】
前記補助収納部の第２外部開閉手段は、内部の補助収納空間の開閉区間を形成するように前記鞄本体上に裁縫されるジッパーブレード、及び前記ジッパーブレードの経路に沿って開閉可能に移動するジッパースライダーを構成し、
前記ジッパーブレードは、前記補助収納部の上端部に対応して開閉可能な水平直線経路を有する上面開閉区間と、前記補助収納部の左右側端部に対応して開閉可能な垂直直線経路を有し、前記補助収納部の側面全長を基準にして上側１／３領域をなす側面開閉区間と、を含んで構成される、請求項１に記載のバックパック兼用リュックサック型旅行鞄。
【考案の詳細な説明】
【技術分野】
【０００１】
本考案は、バックパック兼用リュックサック型旅行鞄に関し、より詳細には、使用用途に応じてバックパック及び旅行鞄のうち基本的な鞄類型を選択的に変更することができ、様々な状況に合わせて鞄の使用範囲を拡大しながらより効率的に携帯可能なバックパック兼用リュックサック型旅行鞄に関する。
【背景技術】
【０００２】
一般に、旅行鞄は、旅行時、衣類、履物、財布などの様々な物品を入れて移動できるように作られた用具であって、衣類や履物などの体積が大きい物品を含めた多くの荷物を収容できる大型旅行鞄と、財布や貴重品などの比較的小さく且つ少ない荷物を収容できる小型旅行鞄とに分類されており、旅行鞄別に収納する物品の種類及び使用用途を区分して携帯できるようにしている。
【０００３】
ここで、大型旅行鞄としては、比較的体積が大きく且つ重いため、引いて歩けるようにスライド式ハンドル及び車輪を備えたキャリーバッグが代表的であり、小型旅行鞄としては、比較的体積が小さく且つ軽いため、肩に掛けて歩けるように肩紐を備えたリュックサック型鞄が代表的である。
【０００４】
前記のような旅行鞄のうちキャリーバッグと関連して開示された従来技術として、大韓民国登録実用新案公報第４４７２１５号（２００９．１２．２８．）（特許文献１）には、荷物を内部に収容・保管できるように蓋が開閉可能に備えられた本体と；前記本体に装着された移動車輪及びこの移動車輪を用いて本体を移動させるための移動ハンドルと；前記蓋に付着した第１ループ、本体に付着した第２ループ、前記第１ループ及び第２ループと交差するように蓋に付着した第３ループ、及び本体に付着した第４ループを含むベルト用ループと；前記第１ループ及び第２ループに一端が締結され、本体の後方で他の一端が相互締結され、本体と蓋を締める一対のベルトと；前記第３ループ及び第４ループに締結された一対の補助ベルトと；前記ベルト用ループから分離された一対のベルト及び補助ベルトを保管できるように本体に形成されたベルトポケットと；を含んで構成されることによって固有認識票を付けやすい旅行用鞄が公知となっている。
【０００５】
また、旅行鞄のうちリュックサック型鞄と関連して開示された従来技術として、大韓民国登録実用新案公報第４６２４１３号（２０１２．０９．０４．）（特許文献２）には、内部に備えられる収納部、及び前記収納部への収納が可能になるように上部が開放形成される投入口を含んで構成されるリュックサック胴体、及び前記リュックサック胴体の前面に形成される前面壁に備えられる肩紐を含んで構成されるリュックサックにおいて、前記リュックサック胴体の上部に形成される投入口の枠の内部には弾性ストリングが挿入され、弾性ストリングを引っ張らない弛緩状態では弾性ストリングの弾性によって投入口が開放された状態に維持されるように構成されることによって、投入口の開放状態を維持すると共に、容易に密封可能なリュックサックが公知となっている。
【０００６】
しかし、前記旅行鞄のうち登録実用新案公報第４４７２１５号（特許文献１）のようなキャリーバッグの場合は、比較的大きく且つ多くの物品を収容可能であるため長距離旅行時に容易に使用できるが、その貯蔵容積のみでは旅行時に必要な全ての物品を収容するのに限界があるだけでなく、短距離旅行に実用的でないため不便であるという問題があった。
【０００７】
その一方、前記旅行鞄のうち登録実用新案公報第４６２４１３号（特許文献２）のようなリュックサック型鞄の場合は、短距離旅行時にキャリーバッグを補助して容易に使用できるが、ユーザーが常に肩に掛けなければならないので、活動が不便であることはもちろん、携帯が難しく、多数の鞄を携帯しにくいという問題があった。さらに、前記リュックサック型鞄の場合、多数の収納空間が備えられているが、キャリーバッグのように内部収納空間を区画できる構成の不在により、完全な旅行用途への機能性が低下し、日常生活における活用性が不十分であるため放置してしまうという問題があった。
【先行技術文献】
【特許文献】
【０００８】
【特許文献１】大韓民国登録実用新案公報第２０−０４４７２１５号（２００９．１２．２８．）
【特許文献２】大韓民国登録実用新案公報第２０−０４６２４１３号（２０１２．０９．０４．）
【考案の概要】
【考案が解決しようとする課題】
【０００９】
本考案は、上記のような問題を解決するためのものであって、鞄内の収納空間を区画する境界網の有無を選択的に変更して適用できるように構成するので、日常用バックパック及び旅行用リュックサックとして鞄の活用性及び機能性を高められるバックパック兼用リュックサック型旅行鞄を提供することを目的とする。
【００１０】
さらに、本考案は、旅行鞄を基本的に肩に掛けるリュックサック形態のみならず、キャリーバッグ上に装着する装着形態に携帯できるように構成するので、鞄の携帯類型を多様化しながら鞄携帯の便宜性を図り、旅行時に多数の鞄を携帯した状態で移動性を増進させ、特に、キャリーバッグ上に装着する形態によって移動安全性を高められるバックパック兼用リュックサック型旅行鞄を提供するためのものである。
【課題を解決するための手段】
【００１１】
本考案が提案するバックパック兼用リュックサック型旅行鞄は、ユーザーの両肩に掛けられるように肩紐を備えており、内部にメイン収納空間を形成し、外周に沿って前記メイン収納空間を開閉できるように第１外部開閉手段を備える鞄本体と；前記鞄本体内の前記メイン収納空間の領域を前後に区分して区画し、前記メイン収納空間の後方領域を開閉できる内部開閉手段を備える収納境界網と；前記鞄本体の前方に備えられ、内部に補助収納空間を形成し、前記補助収納空間の上側を開閉できるように第２外部開閉手段を備えており、前記補助収納空間内の一側面には、物品を区分して収納できるように前後に区分された二重構造の収納口を有する単膜ポケットを備えており、前記単膜ポケットの上側に間隔を置いて開口され、開閉可能な構造で物品を収納できるジッパー収納ポケットを備える、補助収納部と；前記鞄本体の外部後方に備えられて物品を収納可能であり、内側にキャリーバッグのハンドルバーを収容できるように下端に開閉設定可能なポケット開閉手段を備える装着型ポケット部と；を含み、前記鞄本体は、前記メイン収納空間の下部に備えられ、前記収納境界網を巻いた状態で収容可能に形成する境界網収容部を含んでなる。
【００１２】
前記鞄本体は、前記メイン収納空間内の前記収納境界網を基準にして後方領域の一面に備えられ、物品を収納できるように形成する長形収納ポケットを含み、前記鞄本体の後面及び前記長形収納ポケットには、それぞれ接触衝撃を緩衝できるように内蔵されるクッション部材を備える。
【００１３】
前記収納境界網は、前記鞄本体の内部下面に裁縫し、前記収納境界網の下部には前記鞄本体の上側に向かって折り畳まれた折り畳み境界線を形成し、前記内部開閉手段は、前記収納境界網を広げ状態に完全に開放できるように前記折り畳み境界線より延長された位置まで開閉設定可能に延長形成する開閉延長部を備える。
【００１４】
前記境界網収容部は、前記収納境界網を収容できるように開口された一端に弾力を有するようにバンディング処理されたバンド縁部を備える。
【００１５】
前記補助収納部の第２外部開閉手段は、内部の補助収納空間の開閉区間を形成するように前記鞄本体上に裁縫されるジッパーブレード、及び前記ジッパーブレードの経路に沿って開閉可能に移動するジッパースライダーを構成し、前記ジッパーブレードは、前記補助収納部の上端部に対応して開閉可能な水平直線経路を有する上面開閉区間と、前記補助収納部の左右側端部に対応して開閉可能な垂直直線経路を有し、前記補助収納部の側面全長を基準にして上側１／３領域をなす側面開閉区間とを形成する。
【考案の効果】
【００１６】
本考案に係るバックパック兼用リュックサック型旅行鞄によると、鞄内の収納空間の領域を区画する収納境界網を備え、収納境界網を巻いた状態で収容できるように構成するので、旅行鞄としての機能性及び日常用バックパックとしての活用性を選択的に図り、鞄の実用性を大幅に向上させることができるという効果を得る。
【００１７】
さらに、本考案に係るバックパック兼用リュックサック型旅行鞄は、肩に掛けられる基本的なリュックサック形態のみならず、キャリーバッグのハンドルバーに固定装着できる形態に弾力的に設定して携帯できるように構成するので、状況に合わせて鞄の携帯が非常に簡便であると共に、ユーザーの活動及び多数の鞄の携帯が容易であり、様々な類型の物品を各用途に合わせて互いに区分して収容するという収納機能性を向上させることができるという効果がある。
【００１８】
また、本考案に係るバックパック兼用リュックサック型旅行鞄は、内部空間の領域を前後に区画し、曲げ強度が補強された構造を有する収納境界網を構成するので、内部が旅行鞄としての基本的な収納類型を充足し、常時に開閉が容易な広げ状態を維持して、使用上の便宜性を図ることが可能である。さらに、収納境界網の下部には、折り畳み境界線を形成しながら収納境界網を完全に開放できるように開閉延長部を構成するので、鞄内の前後に区画された領域を明確に区分し、内部開閉手段の円滑な開閉操作を図ることはもちろん、物品を収納したり取り出すユーザーの使用上の便宜を図ることができるという効果がある。
【００１９】
また、本考案に係るバックパック兼用リュックサック型旅行鞄は、補助収納部の開閉区間を上面及び側面領域に形成すると共に、開閉経路が互いに接する方向転換地点に折曲角部を形成するように構成するので、ユーザーの開閉操作による開閉領域をユーザーの目的に合わせて弾力的に設定して操作できるという効果がある。
【図面の簡単な説明】
【００２０】
【図１】本考案に係る一実施例を示す正面図である。
【図２】本考案に係る一実施例を示す背面図である。
【図３】本考案に係る一実施例を示す側断面図である。
【図４】本考案に係る一実施例における内部ポケット網を示す構成図である。
【図５】本考案に係る一実施例における長形収納ポケットを示す構成図である。
【図６】本考案に係る一実施例における収納境界網を示す正面図である。
【図７】本考案に係る一実施例における境界網収容部を示す拡大断面図である。
【図８】本考案に係る一実施例における補助収納部を示す正断面図である。
【図９】本考案に係る一実施例における補助収納部を示す部分拡大図である。
【図１０】本考案に係る一実施例における装着型ポケット部を示す構成図である。
【考案を実施するための形態】
【００２１】
本考案は、ユーザーの両肩に掛けられるように肩紐を備えており、内部にメイン収納空間を形成し、外周に沿って前記メイン収納空間を開閉できるように第１外部開閉手段を備える鞄本体と；前記鞄本体内の前記メイン収納空間の領域を前後に区分して区画し、前記メイン収納空間の後方領域を開閉できる内部開閉手段を備える収納境界網と；前記鞄本体の前方に備えられ、内部に補助収納空間を形成し、前記補助収納空間の上側を開閉できるように第２外部開閉手段を備えており、前記補助収納空間内の一側面には、物品を区分して収納できるように前後に区分された二重構造の収納口を有する単膜ポケットを備えており、前記単膜ポケットの上側に間隔を置いて開口され、開閉可能な構造で物品を収納できるジッパー収納ポケットを備える、補助収納部と；前記鞄本体の外部後方に備えられ、物品を収納可能であり、内側にキャリーバッグのハンドルバーを収容できるように下端に開閉設定可能なポケット開閉手段を備える装着型ポケット部と；を含み、前記鞄本体は、前記メイン収納空間の下部に備えられ、前記収納境界網を巻いた状態で収容できるように形成する境界網収容部を含む、バックパック兼用リュックサック型旅行鞄を技術構成の特徴とする。
【００２２】
次に、本考案に係るバックパック兼用リュックサック型旅行鞄の好ましい実施例を図面を参照して詳細に説明する。
【００２３】
まず、本考案に係るバックパック兼用リュックサック型旅行鞄の一実施例は、図１乃至図３に示したように、鞄本体１０、収納境界網２０、補助収納部３０、及び装着型ポケット部４０を含んで構成される。
【００２４】
前記鞄本体１０は、図１及び図２に示したように、一般的なリュックサック形態の鞄形状を有する外形の構造であって、ユーザーの両肩に掛けられるように肩紐１１を備えるように構成する。
【００２５】
前記鞄本体１０には、全体的に柔軟な素材（例えば、布又はカンバス、合成樹脂（合成繊維及び合成皮革）など）を使用する。
【００２６】
前記鞄本体１０の外部には、前／後面の上端に互いに対応してユーザーから把持可能に備えられる一対の把持部材１５を構成する。
【００２７】
前記把持部材１５は、一体に締結可能な構造を有する締結手段１６を備える。すなわち、前記締結手段１６は、一対の前記把持部材１５上に互いに対応して位置するように備えられ、一対の前記把持部材１５間に互いに接した位置で着脱可能に形成する。
【００２８】
前記締結手段１６としては、一般的なスナップファスナーやベルクロ(登録商標)などを適用して構成することが可能である。
【００２９】
前記のように締結手段１６を備えた把持部材１５を構成すると、簡単な移動時にハンドルとしての役割を行い、移動が容易であることはもちろん、前記鞄本体１０の形状を維持させることによって、前記補助収納部３０に収容された物品が後方に押されながら重さが偏る現象を防止することが可能である。
【００３０】
前記鞄本体１０は、内部に物品を収容して収納できる所定の容積量を有するメイン収納空間１３を形成し、前記鞄本体１０は、外周に沿って前記メイン収納空間１３を開閉操作できる第１外部開閉手段１４を備えるように構成する。
【００３１】
前記鞄本体１０のメイン収納空間１３は、前記収納境界網２０を通じて前後に区画され、旅行用途に合わせて互いに区分された領域、すなわち、前方領域１３ａ及び後方領域１３ｂの収納空間を形成するように構成し、前記メイン収納空間１３内の前方領域１３ａ及び後方領域１３ｂは、それぞれ多様な類型の物品を区分して収納できるように内部ポケット網１７及び長形収納ポケット１８を備える。
【００３２】
前記内部ポケット網１７は、図３及び図４に示したように、前記鞄本体１０内の前記収納境界網２０を基準にして前記メイン収納空間１３における前方領域１３ａの一面に備えられ、物品別に互いに区分収容して収納できるように形成する。
【００３３】
前記内部ポケット網１７は、メッシュ又は織物を用いて袋形態に形成し、上下に区分して区画された構造であって、上部に位置し、上端が開口されて物品を収容できる第１ポケット網１７ａと、前記第１ポケット網１７ａの下部に備えられ、開口された上端に物品を収容できる第２ポケット網１７ｂとを備えるように構成する。
【００３４】
前記第１ポケット網１７ａは、左右に互いに区分された物品を収容できるように左右に二分区画された構造で形成する。
【００３５】
前記第２ポケット網１７ｂの上端は、ジッパー形態に開閉可能に形成するので、前記第１ポケット網１７ａとは区分された類型の物品を収納するように形成する。
【００３６】
前記長形収納ポケット１８は、図３及び図５に示したように、前記鞄本体１０内の一面に形成され、前記収納境界網２０を基準にして前記メイン収納空間１３における後方領域１３ｂの一面に備えられ、物品を収納できるように形成する。
【００３７】
前記長形収納ポケットは、ノートパソコンやタブレットＰＣのような携帯機器を収納するための空間であって、前記鞄本体１０の後面と共に、前記長形収納ポケット１８には、それぞれ接触衝撃を緩衝できるように内蔵されるクッション部材１９を備える。
【００３８】
前記クッション部材１９は、前記鞄本体１０の後面に適用されるクッション部材１９の厚さ（８ｍｍ〜１５ｍｍ）よりも、前記長形収納ポケット１８に内蔵されるクッション部材１９の厚さ（１ｍｍ〜３ｍｍ）を相対的に薄く構成するので、ユーザーの着用時、鞄本体１０との優れたクッション性能を図ると共に、長形収納ポケット１８のクッション部材１９の過度な厚さによる物品の収納妨害を防止することが可能である。
【００３９】
前記第１外部開閉手段１４は、前記鞄本体１０の開放された３面（左右側面及び上面）がユーザーから開閉可能に操作できるように備えられる。
【００４０】
前記第１外部開閉手段１４は、必要に応じて、開口された３面の切開された方向に向かってユーザーが選択的に操作し、前記鞄本体１０のメイン収納空間１３を開閉できる構造をなすジッパーとして形成することが好ましい。
【００４１】
前記第１外部開閉手段１４は、前記鞄本体１０上に形成し、前記収納境界網２０の位置に対応して外側に形成されることによって、前記鞄本体１０のうち前記メイン収納空間１３の前方領域１３ａを開閉できるように形成する。
【００４２】
前記収納境界網２０は、前記鞄本体１０内に形成され、前記メイン収納空間１３の領域、すなわち、前方領域１３ａと後方領域１３ｂとを互いに区分するように区画させる役割を果たす。
【００４３】
前記収納境界網２０は、前記メイン収納空間１３の前方領域１３ａと後方領域１３ｂとを分けて区分する境界線上に位置する。
【００４４】
前記収納境界網２０は、図３及び図６に示したように、前記メイン収納空間１３の後方領域１３ｂを開閉できるように内部開閉手段２１を備える。すなわち、前記鞄本体１０内の前記メイン収納空間１３内の前方領域１３ａは前記第１外部開閉手段１４を通じて開閉可能で、前記メイン収納空間１３内の後方領域１３ｂは前記内部開閉手段２１を通じて開閉可能な構造をなす。
【００４５】
前記収納境界網２０には、前記内部開閉手段２１の開放時に曲げ強度を補強できるように左右横方向に延長形成される曲げ強度補強帯２３を備える。
【００４６】
前記曲げ強度補強帯２３は、前記収納境界網２０上に上下間隔を置いて複数個（図６には２個）備えるように形成する。
【００４７】
前記曲げ強度補強帯２３は、前記収納境界網２０上に上下幅が１５ｍｍ〜３０ｍｍになるように形成するので、収納境界網２０固有の機能（例えば、物品認識性及び通風性など）を維持しながら収納境界網２０の曲げ強度を補強することが好ましい。
【００４８】
前記のように収納境界網２０に曲げ強度補強帯２３を構成すると、曲げ強度の補強によって常時に開閉が容易な広げ状態を維持することができ、使用上の便宜性を図ることが可能である。
【００４９】
前記収納境界網２０は、前記鞄本体１０の内部下面に裁縫し、前記収納境界網２０の下部には、前記鞄本体１０の上側に向かって折り畳まれた折り畳み境界線２５を形成する。
【００５０】
前記内部開閉手段２１は、前記収納境界網２０を開閉するための開閉可能範囲を前記折り畳み境界線２５より延長された位置まで開閉設定できるように延長形成される開閉延長部２７を備えるように構成する。すなわち、一般に、前記折り畳み境界線２５まで前記内部開閉手段２１を開閉するように開閉設定して使用するが、ユーザーの必要に応じて、有事の際に、前記折り畳み境界線２５を越えて前記開閉延長部２７の開閉領域まで開閉設定して使用することが可能である。
【００５１】
前記開閉延長部２７は、前記折り畳み境界線２５を基準にして８０ｍｍ〜９０ｍｍだけ十分に延長形成するので、収納境界網２０を広げ状態に完全に開放できるように構成する。
【００５２】
前記収納境界網２０に使用可能な素材としては、一般的な織物又はメッシュ網を適用して構成する。
【００５３】
前記のように収納境界網２０を構成すると、収納境界網２０の下部に折り畳み境界線２５を形成すると共に、収納境界網２０を完全に開放できるように開閉延長部２７を構成するため、鞄内の前後に区画された領域を明確に区分し、内部開閉手段２１の円滑な開閉操作を図ることはもちろん、物品を収納したり取り出すユーザーの使用上の便宜を図ることが可能である。
【００５４】
また、前記鞄本体１０には、バックパックの用途に使用できるように変形可能な構造として、内部に収納境界網２０を収容できる境界網収容部５０を構成する。
【００５５】
前記境界網収容部５０は、図３及び図７に示したように、前記メイン収納空間１３の下部に備えられ、前記収納境界網２０を収容できるポケットとしての機能を行う。すなわち、前記境界網収容部５０は、前記収納境界網２０を巻いた状態で収容できるように構成する。
【００５６】
例えば、日常用バックパックとして鞄を使用する場合、前記開閉延長部２７まで前記内部開閉手段２１を開放させ、前記収納境界網２０の完全な広げ状態で前記収納境界網２０を巻いて前記境界網収容部５０に収容させることによって、バックパックとしての機能に変形できるように形成する。
【００５７】
前記境界網収容部５０には、前記収納境界網２０を収容できるように開口された一端に弾力を有するようにバンディング処理されたバンド縁部５５を備える。すなわち、前記バンド縁部５５は、前記境界網収容部５０に前記収納境界網２０を巻いて入れるときに弾力的に伸び、前記収納境界網２０を前記境界網収容部５０から取り出すと再び元の形状に復元できるように形成する。
【００５８】
前記補助収納部３０は、図３及び図８に示したように、前記鞄本体１０の前方に備えられ、前記メイン収納空間１３とは区分された物品の収容可能空間である補助収納空間３１を内部に形成し、前記補助収納空間３１の上側を開閉できるように第２外部開閉手段３３を備えて構成する。
【００５９】
前記補助収納部３０の補助収納空間３１は、３０ｍｍ〜６０ｍｍの厚さを有するように形成するので、内部に所定の厚さを有する所持品（例えば、傘やサングラスなど）を容易に収容できるように構成する。
【００６０】
前記補助収納部３０には、前記補助収納空間３１内の区分された収納手段である単膜ポケット３７及びジッパー収納ポケット３９を備える。
【００６１】
前記単膜ポケット３７は、前記補助収納空間３１内の一側面に物品を区分して収納できる構造であって、前後に区分された二重構造の収納口３８を有するように形成する。
【００６２】
前記単膜ポケット３７の収納口３８は、後方の収納口３８が前方の収納口３８よりも相対的に深い収納空間を形成し、前記単膜ポケット３７の前方に位置した収納口３８の場合、幅方向に区分された複数個（図８には４個）の収納口３８を備えるように区画して形成する。
【００６３】
前記ジッパー収納ポケット３９は、前記単膜ポケット３７の上側に間隔を置いて位置し、開口された構造で形成し、内部に小銭や貴重品のような物品の収納のために開閉可能な構造で形成する。すなわち、前記ジッパー収納ポケット３９は、上部に開口された長さ方向に沿ってジッパーが備えられ、内部収納空間を開放又は閉鎖できるように形成する。
【００６４】
前記第２外部開閉手段３３は、前記内部開閉手段２１及び前記第１外部開閉手段１４と同様に、一般的なジッパーの構成で形成する。すなわち、前記第２外部開閉手段３３は、内部の補助収納空間３１の開閉区間を形成するように前記鞄本体１０上に裁縫されるジッパーブレード３４、及び前記ジッパーブレード３４の経路に沿って開閉可能に移動するジッパースライダー３５を構成する。
【００６５】
前記第２外部開閉手段３３のジッパーブレード３４は、前記補助収納部３０の上端部に対応して開閉可能な水平直線経路を有する上面開閉区間３４ａと、前記補助収納部３０の左右側端部に対応して開閉可能な垂直直線経路を有し、前記補助収納部の側面全長を基準にして上側１／３領域をなす側面開閉区間３４ｂとを形成する。
【００６６】
前記ジッパーブレード３４は、図９に示したように、前記上面開閉区間３４ａにおいて前記ジッパースライダー３５が接する一端が上向きに形成されるように前記鞄本体１０上に裁縫され、前記側面開閉区間３４ｂにおいて前記ジッパースライダー３５が接する一端が前記補助収納空間３１の内側に向かうように前記鞄本体１０上に裁縫されることを含み、前記ジッパーブレード３４は、前記上面開閉区間３４ａの水平直線経路と前記側面開閉区間３４ｂの垂直直線経路とが互いに接する方向転換地点に折曲角部３６を形成する。すなわち、前記ジッパースライダー３５は、前記ジッパーブレード３４が折り曲げられた前記折曲角部３６の位置で一般的な開閉可能範囲を限定できるように形成する。
【００６７】
例えば、前記第２外部開閉手段３３は、基本的に前記ジッパーブレード３４の上面開閉区間３４ａのみが開閉され得るように、前記ジッパースライダー３５がユーザーの操作によって方向転換地点である前記折曲角部３６で係止できるように形成し、ユーザーが前記ジッパーブレード３４の側面開閉区間３４ｂまで前記補助収納部３０を開閉することができるが、ただし、前記折曲角部３６の位置で前記ジッパースライダー３５を下向きに移動できるようにユーザーが人為的に操作しなければならない。
【００６８】
前記のように、補助収納部３０の開閉区間を上面及び側面領域で形成し、開閉経路が互いに接する方向転換地点に折曲角部３６を形成するように構成すると、ユーザーの開閉操作による開閉領域をユーザーの目的に合わせて弾力的に設定操作することが可能である。
【００６９】
前記装着型ポケット部４０は、物品を区分して収容できる空間を備えると同時に、別途のキャリーバッグＣにおけるハンドルバーＨを収容してキャリーバッグＣ上に載置され得るように装着固定する役割を果たす。
【００７０】
前記装着型ポケット部４０は、図１０に示したように、前記鞄本体１０の外部後方に備えられて物品を収納可能であり、内側にキャリーバッグＣのハンドルバーＨを収容できるように下端に開閉設定可能なポケット開閉手段４５を備える。
【００７１】
例えば、前記装着型ポケット部４０は、平常時、前記ポケット開閉手段４５で前記装着型ポケット部４０の下端を閉鎖し、一般的な袋形態の収容空間として使用し、キャリーバッグＣ上に装着する場合、前記ポケット開閉手段４５で前記装着型ポケット部４０の下端を開放し、上下に垂直貫通した構造の収容空間として使用するので、キャリーバッグＣのハンドルバーＨを収容できるように形成する。
【００７２】
前記装着型ポケット部４０の左右幅は、一般的なキャリーバッグＣのハンドルバーＨの幅に相応する幅に形成する。
【００７３】
前記装着型ポケット部４０の外部面は、ユーザーがリュックサック形態で着用したときの重量感を維持させ、且つ接触による通風が図られるように網素材で適用して構成することが好ましい。
【００７４】
すなわち、前記のように構成される本考案に係るバックパック兼用リュックサック型旅行鞄によると、肩に掛けられる基本的なリュックサック形態のみならず、キャリーバッグのハンドルバーに固定装着できる形態に弾力的に設定して携帯できるように構成するので、状況に合わせて鞄の携帯が非常に簡便でありながら、ユーザーの活動及び多数の鞄の携帯が容易であり、多様な類型の物品を各用途に合わせて互いに区分して収容するという収納機能性を向上させることが可能である。
【００７５】
以上では、本考案に係るバックパック兼用リュックサック型旅行鞄の好ましい実施例に対して説明したが、本考案がこれに限定されるものではなく、請求の範囲、考案の詳細な説明及び添付の図面の範囲内で多様に変形して実施可能であり、これもまた本考案の範囲に属する。
【符号の説明】
【００７６】
１０    鞄本体
１１    肩紐
１３    メイン収納空間
１４    第１外部開閉手段
１５    把持部材
１６    締結手段
１７    内部ポケット網
１７ａ    第１ポケット網
１７ｂ    第２ポケット網
１８    長形収納ポケット
１９    クッション部材
２０    収納境界網
２１    内部開閉手段
２３    曲げ強度補強帯
２５    折り畳み境界線
２７    開閉延長部
３０    補助収納部
３１    補助収納空間
３３    第２外部開閉手段
３４    ジッパーブレード
３４ａ    上面開閉区間
３４ｂ    側面開閉区間
３５    ジッパースライダー
３６    折曲角部
３７    単膜ポケット
３８    収納口
３９    ジッパー収納ポケット
４０    装着型ポケット部
４５    ポケット開閉手段
５０    境界網収容部
５５    バンド縁部
【図１】
0003212142.tif 000003
【図２】
0003212142.tif 000004
【図３】
0003212142.tif 000005
【図４】
0003212142.tif 000006
【図５】
0003212142.tif 000007
【図６】
0003212142.tif 000008
【図７】
0003212142.tif 000009
【図８】
0003212142.tif 000010
【図９】
0003212142.tif 000011
【図１０】
0003212142.tif 000012